(57)【要約】【課題】充電装置と給電装置が無線通信で用いる各々を特定する情報を、予め該無線通信と別の通信により充電装置と給電装置それぞれに通知する給電装置と充電装置、給電方法と充電方法および給電プログラムと充電プログラムを提供する。【解決手段】充電装置に非接触で交流電力を、コイルを用いて送電する給電部と、充電装置と無線通信をする第１の通信部と、第１の通信部と別の通信をする第２の通信部と、第２の通信部が受信した、充電装置が有する無線通信部ごとに割り当てられる無線通信部を特定するための無線特定情報を第２の通信部から取得すると、第１の通信部に取得した無線特定情報を転送し、第１の通信部に無線通信部との無線通信を開始させる制御部と、を備える給電装置である。【選択図】図４
2013247811.tif 000002
【特許請求の範囲】
【請求項１】
充電装置に非接触で交流電力を、コイルを用いて送電する給電部と、
前記充電装置が有する無線通信部と無線通信をする第１の通信部と、
前記第１の通信部と別の通信をする第２の通信部と、
前記第２の通信部が受信した、前記充電装置が有する前記無線通信部ごとに割り当てられる前記無線通信部を特定するための無線特定情報を前記第２の通信部から取得すると、前記第１の通信部に取得した無線特定情報を転送し、前記第１の通信部に前記無線通信部との無線通信を開始させる制御部と、
を備えることを特徴とする給電装置。
【請求項２】
前記第２の通信部は
前記コイルを介して前記充電装置と通信をするコイル間通信であることを特徴とする請求項１に記載の給電装置。
【請求項３】
前記無線特定情報はメディア・アクセス・コントロールアドレスであることを特徴とする請求項１または２に記載の給電装置。
【請求項４】
給電装置から送電される交流電力を、コイルを用いて非接触で受電し、受電した電力をバッテリ部に充電する充電部と、
前記給電装置が有する無線通信部と無線通信をする第３の通信部と、
前記第３の通信部と別の通信をする第４の通信部と、
前記第４の通信部が受信した、前記給電装置が有する前記無線通信部ごとに割り当てられる前記無線通信部を特定するための無線特定情報を前記第４の通信部から取得すると、前記第３の通信部に取得した無線特定情報を転送し、前記第３の通信部に前記無線通信部との無線通信を開始させる制御部と、
を備えることを特徴とする充電装置。
【請求項５】
前記第４の通信部は、
前記コイルを介して前記給電装置と通信をするコイル間通信であることを特徴とする請求項４に記載の充電装置。
【請求項６】
前記無線特定情報はメディア・アクセス・コントロールアドレスであることを特徴とする請求項４または５に記載の充電装置。
【請求項７】
前記充電装置が有する無線通信部と無線通信をする第１の通信部と別の前記充電装置に非接触で交流電力を送電するコイルを用いて通信をする第２の通信部が、前記充電装置が有する前記無線通信部ごとに割り当てられる前記無線通信部を特定するための無線特定情報を受信すると、前記第２の通信部から前記無線特定情報を取得し、
取得した無線特定情報を前記第１の通信部に転送し、
前記第１の通信部と前記無線通信部との間で無線通信を開始させる、
処理を給電装置のコンピュータが実行することを特徴とする給電方法。
【請求項８】
前記給電装置が有する無線通信部と無線通信をする第３の通信部と別の前記給電装置に非接触で交流電力を送電するコイルを用いて通信をする第４の通信部が、前記給電装置が有する前記無線通信部ごとに割り当てられる前記無線通信部を特定するための無線特定情報を受信すると、前記第４の通信部から前記無線特定情報を取得し、
取得した無線特定情報を前記第３の通信部に転送し、
前記第３の通信部と前記無線通信部との間で無線通信を開始させる、
処理を充電装置のコンピュータが実行することを特徴とする充電方法。
【請求項９】
前記充電装置が有する無線通信部と無線通信をする第１の通信部と別の前記充電装置に非接触で交流電力を送電するコイルを用いて通信をする第２の通信部が、前記充電装置が有する前記無線通信部ごとに割り当てられる前記無線通信部を特定するための無線特定情報を受信すると、前記第２の通信部から前記無線特定情報を取得し、
取得した無線特定情報を前記第１の通信部に転送し、
前記第１の通信部と前記無線通信部との間で無線通信を開始させる、
処理を給電装置のコンピュータに実行させることを特徴とする給電プログラム。
【請求項１０】
前記給電装置が有する無線通信部と無線通信をする第３の通信部と別の前記給電装置に非接触で交流電力を送電するコイルを用いて通信をする第４の通信部が、前記給電装置が有する前記無線通信部ごとに割り当てられる前記無線通信部を特定するための無線特定情報を受信すると、前記第４の通信部から前記無線特定情報を取得し、
取得した無線特定情報を前記第３の通信部に転送し、
前記第３の通信部と前記無線通信部との間で無線通信を開始させる、
処理を充電装置のコンピュータに実行させることを特徴とする充電プログラム。
【発明の詳細な説明】
【技術分野】
【０００１】
非接触で充電を行う給電装置と充電装置、給電方法と充電方法および給電プログラムと充電プログラムに関する。
【背景技術】
【０００２】
近年、電気自動車（ＥＶ）やプラグインハイブリッド車（ＰＨＶ）などの車両の充電には非接触充電が用いられるようになっている。非接触充電により充電を開始する場合、利用する給電装置を車両に備えられている充電装置が特定する必要がある。給電装置を特定する方法として、例えば、車両と給電装置に無線通信を行なうための無線通信機能をそれぞれ備えて、車両と給電装置の間で無線通信をすることにより給電装置を特定することが考えられる。ところが、複数の給電装置が設置されているチャージステーションなどでは、車両と給電装置各々の間で無線通信を行うことが想定されるため、無線通信のみで車両が利用する給電装置を特定することは難しい。
【０００３】
関連する技術として非接触充電を行う給電装置と充電装置を有するシステムが開示され、給電装置と充電装置には無線通信装置が備えられている。
【先行技術文献】
【特許文献】
【０００４】
【特許文献１】特開２０１１−０１５２００８号公報
【特許文献２】特開２００８−０１４８２４２号公報
【特許文献３】特開２０１１−０２１１８７０号公報
【特許文献４】特開２０１１−０２３４５０８号公報
【発明の概要】
【発明が解決しようとする課題】
【０００５】
本発明は、充電装置と給電装置が無線通信で用いる各々を特定する情報を、予め該無線通信と別の通信により充電装置と給電装置それぞれに通知する給電装置と充電装置、給電方法と充電方法および給電プログラムと充電プログラムを提供することを目的とする。
【課題を解決するための手段】
【０００６】
本発明の態様のひとつである給電装置は、給電部、第１の通信部、第２の通信部、制御部を備える。
給電部は、充電装置に非接触で交流電力を、コイルを用いて送電する。第１の通信部は、上記充電装置が有する無線通信部と無線通信をする。第２の通信部は、上記第１の通信部と別の通信をする。
【０００７】
制御部は、上記第２の通信部が受信した、上記充電装置が有する上記無線通信部ごとに割り当てられる上記無線通信部を特定するための無線特定情報を上記第２の通信部から取得する。続いて、上記第１の通信部に取得した無線特定情報を転送し、上記第１の通信部に上記無線通信部との無線通信を開始させる。
【０００８】
本発明の他の態様のひとつである充電装置は、充電部、第３の通信部、第４の通信部、制御部を備える。
充電部は、給電装置から送電される交流電力を、コイルを用いて非接触で受電し、受電した電力をバッテリ部に充電する。第３の通信部は、上記給電装置が有する無線通信部と無線通信をする。第４の通信部は、上記第３の通信部と別の通信をする。
【０００９】
制御部は、上記第４の通信部が受信した、上記給電装置が有する上記無線通信部ごとに割り当てられる上記無線通信部を特定するための無線特定情報を上記第４の通信部から取得する。続いて、上記第３の通信部に取得した無線特定情報を転送し、上記第３の通信部に上記無線通信部との無線通信を開始させる。
【発明の効果】
【００１０】
実施の形態によれば、給電装置と充電装置が無線通信で用いる各々を特定する情報を、予め該無線通信と別の通信により給電装置と充電装置それぞれに通知することにより、車両が利用する給電装置の特定ができるという効果を奏する。
【図面の簡単な説明】
【００１１】
【図１】図１は、チャージステーションの一実施例を示す図である。
【図２】図２は、給電装置と車両の関係を示す図である。
【図３】図３は、複数の給電装置とサーバとの関係を示す図である。
【図４】図４は、給電装置の一実施例を示す図である。
【図５】図５は、充電装置の一実施例を示す図である。
【図６】図６は、給電装置および充電装置のそれぞれの制御部とサーバのハードウェアの一実施例を示す図である。
【図７】図７は、給電装置の動作の一実施例を示すフロー図である。
【図８】図８は、充電装置の動作の一実施例を示すフロー図である。
【図９】図９は、給電装置および充電装置の動作の一実施例を示すフロー図である。
【図１０】図１０は、給電装置および充電装置の動作の一実施例を示すフロー図である。
【発明を実施するための形態】
【００１２】
以下図面に基づいて、本発明の実施形態について詳細を説明する。
図１は、チャージステーションの一実施例を示す図である。図１に示すチャージステーション１には、車両を駐車するための駐車エリア２ａ〜２ｄがあり、駐車エリア２ａ〜２ｄそれぞれには後述する給電装置７ａ〜７ｄが配置されている。給電装置７ａ〜７ｄは、車両５へ給電する際に送電に関する制御などを行う給電制御部３ａ〜３ｄと、電力を車両５側に送電するための給電部４ａ〜４ｄを有する。
【００１３】
ただし、給電装置７の設置はチャージステーションに限定されるものではなく、家庭の駐車場などに設置してもよい。
図２は、給電装置と車両の関係を示す図である。図２の給電装置７は給電制御部３と給電部４を備えている。給電制御部３は車両５との通信およびサーバなどとの無線通信または有線通信を行う通信の制御と、商用電源から給電された電力を車両５に送電するための制御を行う。さらに、給電制御部３は充電料金の算出、駐車料金の算出、各種料金の支払いなどに関する制御を行ってもよい。
【００１４】
給電部４は電力を車両５に送電するときに用いられる。電力の送電は、例えば、電磁誘導もしくは共鳴方式を用いることが考えられる。
ただし、本実施形態では共鳴方式として給電部４と充電装置６に送受電にコイルを用いた場合について説明する。
【００１５】
なお、図２の給電装置７において給電制御部３と給電部４とは電力線ＰＯＷと信号線ＳＩＧにより接続されている。
図２の車両５は充電装置６を備えている。充電装置６は給電部４から送電された電力を受電して、充電装置６に設けられているバッテリ部に充電する。バッテリ部５０６は充電式の二次電池で、例えば、リチウムイオン二次電池、ニッケル水素二次電池などが考えられる。ただし、リチウムイオン二次電池、ニッケル水素二次電池に限定されるものではなく、二次電池であればよい。
【００１６】
図３は、複数の給電装置とサーバとの関係を示す図である。図３に示す複数の給電装置７ａ〜７ｄ各々はネットワーク９を介してサーバ８と通信をする。サーバ８は、例えば、給電装置７ａ〜７ｄと通信をして充電料金の算出、駐車料金の算出、各種料金の支払いなどに関する処理を実行し、処理結果を給電装置７ａ〜７ｄに送信する。
【００１７】
図４は、給電装置の一実施例を示す図である。給電装置７は、給電部４、制御装置４０１（制御部）、無線通信部４０７（第１の通信部）、コイル間通信部（第２の通信部）を有する。
【００１８】
図４の給電装置７は制御装置４０１、電源変換部４０３、整合部４０４、第１のコイル４０５、結合部４０６、無線通信部４０７、送信部４０８、受信部４０９を備えている。なお、制御装置４０１は給電制御部３の機能も有する。
【００１９】
給電部４は電源変換部４０３、整合部４０４、第１のコイル４０５を有する。給電部４は車両５に搭載された充電装置６に非接触で交流電力を給電する。
コイル間通信部の送信系は結合部４０６、制御装置４０１、送信部４０８を有する。送信部４０８は、第１のコイル４０５と第２のコイル５０２をアンテナとして用いて、充電装置６の受信部５０９に送信する信号を出力する。また、コイル間通信部の受信系は、結合部４０６、制御装置４０１、受信部４０９を有している。受信部４０９は、第１のコイル４０５と第２のコイル５０２をアンテナとして用いて、充電装置６の送信部５０８から送信される信号を受信する。
【００２０】
なお、コイル間通信で用いる変調および復調の方式は、例えば、ＡＳＫ（Amplitude Shift Keying）、ＦＳＫ（frequency shift keying）、ＰＳＫ（Phase Shift Keying）などの既存の方式を用いることが考えられる。また、コイル間通信の変復調方式は無線通信部４０７の変復調方式と同じ方式でもよい。
【００２１】
制御装置４０１は、給電装置７と充電装置６との間で行う通信の制御をする。制御装置４０１は電源変換部４０３、整合部４０４、無線通信部４０７、送信部４０８、受信部４０９と接続され、接続されている各部を制御する。
【００２２】
制御装置４０１は、充電装置６から指定された充電電流が充電装置６に供給できるように電源変換部４０３の出力する交流電力を制御する。
制御装置４０１は、コイル間通信部の受信部４０９が受信した、充電装置６が有する無線通信部５１０に割り当てられる無線通信部を特定するための無線特定情報を受信部４０９から取得する。そして、制御装置４０１は無線通信部４０７に取得した無線特定情報を転送し、無線通信部４０７に充電装置６の無線通信部５１０との間で無線通信を開始させる。
【００２３】
また、制御装置４０１は給電装置７の無線通信部４０７に割り当てられる無線通信部を特定するための無線特定情報を取得し、コイル間通信部の送信部４０８に転送して充電装置６に送信させる。
【００２４】
無線特定情報は、例えば、メディア・アクセス・コントロールアドレス（ＭＡＣ（Media Access Control address）アドレス）である。
電源変換部４０３は、商用電源４０２から供給される電力を決められた周期でかつ決められた電力レベルの交流に変換し第１のコイル４０５に給電する。上記交流の変換などの制御は制御装置４０１により行うことが考えられる。
【００２５】
整合部４０４は本例では力率改善をするために用いられ、制御装置４０１により制御される。
第１のコイル４０５は、車両５に搭載されている充電装置６へ電力を給電するために用いられる。本例では、第１のコイル４０５は充電装置６の後述する第２のコイル５０２に電力を送電する。また、第１のコイル４０５と第２のコイル５０２は非接触電力通信に用いられる。
【００２６】
結合部４０６は、充電中に電源変換部４０３から出力された交流電力（電力信号）に、非接触電力通信で用いる第１の重畳信号を重畳させるために用いる。また、車両５の充電装置６から送信される非接触電力通信で用いる第２の重畳信号を受信したときは、結合部４０６は受信部４０９に受信した第２の重畳信号を出力する。
【００２７】
図５は、充電装置の一実施例を示す図である。図５の充電装置６は制御装置５０１、充電部、無線通信部５１０（第３の通信部）、コイル間通信部（第４の通信部）を有する。
充電部は受電部（第２のコイル５０２）、整合部５０３、整流部５０４を有する。また、充電装置６には検出部５０５、バッテリ部５０６が接続されている。本例では、検出部５０５、バッテリ部５０６が分かれているが充電装置に含めてもよい。
【００２８】
受電部は給電装置７から給電される交流電力を非接触で受電する。充電部は受電した電力をバッテリ部５０６に充電する。
コイル間通信部の送信系は結合部５０７、送信部５０８、制御装置５０１を有する。また、コイル間通信部の受信系は、結合部５０７、受信部５０９、制御装置５０１を有している。
【００２９】
コイル間通信部の送信系は結合部５０７、制御装置５０１、送信部５０８を有する。送信部５０８は、第１のコイル４０５と第２のコイル５０２をアンテナとして用いて、給電装置７の受信部４０９に送信する信号を出力する。また、コイル間通信部の受信系は、結合部５０７、制御装置５０１、受信部５０９を有している。受信部５０９は、第１のコイル４０５と第２のコイル５０２をアンテナとして用いて、給電装置７の送信部４０８から送信される信号を受信する。
【００３０】
なお、コイル間通信で用いる変調および復調の方式は、例えば、ＡＳＫ（Amplitude Shift Keying）、ＦＳＫ（frequency shift keying）ＰＳＫ（Phase Shift Keying）などの既存の方式を用いることが考えられる。また、コイル間通信の変復調方式は無線通信部５１０の変復調方式と同じ方式でもよい。
【００３１】
制御装置５０１は検出部５０５、バッテリ部５０６、制御装置５０１と接続され、接続されている各部を制御する。また、制御装置５０１は各部から計測データを取得する。
制御装置５０１は、コイル間通信部の受信部５０９が受信した、給電装置７が有する無線通信部４０７に割り当てられる無線通信部を特定するための無線特定情報を受信部５０９から取得する。そして、無線通信部５１０に取得した無線特定情報を転送し、無線通信部５１０に給電装置７の無線通信部４０７との間で無線通信を開始させる。
【００３２】
また、制御装置５０１は充電装置６の無線通信部５１０に割り当てられる無線通信部を特定するための無線特定情報を取得し、コイル間通信部の送信部５０８に転送して給電装置７に送信させる。
【００３３】
無線特定情報は、例えば、メディア・アクセス・コントロールアドレス（ＭＡＣ（Media Access Control address）アドレス）である。
第２のコイル５０２は給電装置７から第１のコイル４０５を介して送電された交流電力（電力信号）を受電し、受電した電力が整合部５０３に供給される。
【００３４】
整合部５０３は給電装置７と充電装置６との間のインピーダンス整合を行う。なお、整合部５０３は制御装置５０１と接続し、制御装置５０１によりインピーダンス整合を制御してもよい。
【００３５】
整流部５０４は受電した交流電力（電力信号）を整流して直流にし、直流にした電力はバッテリ部５０６に供給される。
検出部５０５はバッテリ部５０６に充電する際にバッテリ部５０６に流れる電流を検出する。例えば、電流センサなどが考えられる。
【００３６】
バッテリ部５０６は充電式の二次電池などが考えられる。なお、本例では充電装置６にバッテリ部５０６が示されているが、バッテリ部５０６と別に設けてもよい。
結合部５０７は、第２のコイル５０２が受電した交流電力（電力信号）に、非接触電力通信で用いる信号を重畳させるために用いる。また、給電装置７から送信される非接触電力通信で用いる信号を受信したときは、結合部５０７は受信部５０９に受信した信号を出力する。
【００３７】
図６は、給電装置および充電装置のそれぞれの制御装置とサーバのハードウェアの一実施例を示す図である。給電装置７の制御装置４０１、充電装置６の制御装置５０１、サーバ８のハードウェアは、図６に示す制御部６０１、記憶部６０２、記録媒体読取装置６０３、入出力インタフェース６０４（入出力Ｉ／Ｆ）、通信インタフェース６０５（通信Ｉ／Ｆ）などをそれぞれ備えている。また、上記各構成部はバス６０６によってそれぞれ接続されている。なお、サーバ８の機能はクラウドなどを用いて実現することもできる。
【００３８】
制御部６０１はCentral Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられる。
【００３９】
記憶部６０２は、例えばRead Only Memory（ＲＯＭ）、Random Access Memory（ＲＡＭ）などのメモリやハードディスクなどが考えられる。なお、記憶部６０２にはパラメータ値、変数値などのデータを記録してもよいし、実行時のワークエリアとして用いてもよい。また、給電装置７およびサーバ８において、記憶部６０２以外に給電装置７およびサーバ８の外部に他の記憶部を設けてもよく、例えば、データベースなどを設けることが考えられる。
【００４０】
記録媒体読取装置６０３は、制御部６０１の制御に従って記録媒体６０７に対するデータのリード／ライトを制御する。そして、記録媒体６０７に記録媒体読取装置６０３の制御で書き込まれたデータを記録させたり、記録媒体６０７に記録されたデータを読み取らせたりする。また、着脱可能な記録媒体６０７は、コンピュータで読み取り可能なnon-transitory（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc（ＤＶＤ）、ＤＶＤ−ＲＡＭ、Compact Disc Read Only Memory（ＣＤ−ＲＯＭ）、ＣＤ−Ｒ(Recordable)／ＲＷ（ReWritable）などがある。光磁気記録媒体には、Magneto-Optical disk（ＭＯ）などがある。なお、記憶部６０２もnon-transitory（非一時的）な記録媒体に含まれる。
【００４１】
入出力インタフェース６０４には、入出力部６０８が接続され、入出力部６０８から入力された情報を受信し、バス６０６を介して制御部６０１に送信する。また、制御部６０１からの命令に従ってディスプレイの画面上に操作情報などを表示する。入出力部６０８の入力装置は、例えば、キーボード、ポインティングデバイス（マウスなど）、タッチパネルなどが考えられる。
【００４２】
なお、入出力部６０８の出力部であるディスプレイは、例えば、液晶ディスプレイなどが考えられる。充電装置６の入出力部６０８は、車両５のダッシュボードに備え付けられていることが考えられる。
【００４３】
また、給電装置７およびサーバ８の出力部はCathode Ray Tube（ＣＲＴ）ディスプレイ、プリンタなどの出力装置であってもよい。
通信インタフェース６０５は、Local Area Network（ＬＡＮ）接続やインターネット接続を行うためのインタフェースである。また、通信インタフェース６０５は必要に応じ、他のコンピュータとの間のＬＡＮ接続やインターネット接続や無線接続を行うためのインタフェースとして用いてもよい。
【００４４】
このようなハードウェア構成を有するコンピュータを用いることによって、給電装置７の制御と通信、充電装置６の制御と通信、サーバ８それぞれが行う各種処理機能が実現される。その場合給電装置７の制御と通信および充電装置６の制御と通信とサーバ８それぞれが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体６０７に記録しておくことができる。
【００４５】
プログラムを流通させる場合には、例えば、そのプログラムが記録されたＤＶＤ、ＣＤ−ＲＯＭなどの記録媒体６０７が販売される。また、プログラムをサーバコンピュータの記憶装置に記録しておき、ネットワークを介して、サーバコンピュータから他のコンピュータにそのプログラムを転送することもできる。
【００４６】
プログラムを実行するコンピュータは、例えば、記録媒体６０７に記録されたプログラムもしくはサーバコンピュータから転送されたプログラムを、自己の記憶部６０２に記憶する。そして、コンピュータは、自己の記憶部６０２からプログラムを読み取り、プログラムに従った処理を実行する。なお、コンピュータは、記録媒体６０７から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００４７】
給電装置の動作について説明する。
車両５が充電位置に駐車されると、充電装置６と給電装置７との間でコイル間通信を確立する。無線通信部４０７（第１の通信部）と別の充電装置６に非接触で交流電力を送電するコイルを用いて通信をするコイル間通信部（第２の通信部）が、充電装置６が有する無線通信部５１０ごとに割り当てられる無線特定情報（ＭＡＣアドレス）を受信する。続いて、コイル間通信部の受信部４０９から無線特定情報を取得し、取得した無線特定情報を無線通信部４０７に転送する。無線通信部４０７と無線通信部５１０との間で無線通信を開始する。
【００４８】
給電装置の動作について図７を用いて説明する。図７は、給電装置の動作の一実施例を示すフロー図である。
図７のステップＳ７０１では、車両５から送信されたコイル間通信要求をコイル間通信部の受信部４０９を介して取得したか否かを制御装置４０１が判断し、取得した場合（Ｙｅｓ）にはステップＳ７０２に移行する。取得していない場合（Ｎｏ）にはステップＳ７０１に移行する。コイル間通信要求は車両５が駐車エリア２に駐車されたことが検出されると車両５から送信される信号である。図９のＳ９０９を参照。
【００４９】
ステップＳ７０２では、車両５から送信された車両側無線特定情報要求をコイル間通信部の受信部４０９を介して取得したか否かを制御装置４０１が判断し、取得した場合（Ｙｅｓ）にはステップＳ７０３に移行する。取得していない場合（Ｎｏ）にはステップＳ７０２に移行する。ただし、決められた期間車両側無線特定情報要求を取得できない場合にはステップＳ７０１に移行する。車両側無線特定情報は車両５に設けられている無線通信部５１０を特定する情報で、例えば、ＭＡＣアドレスなどである。また、車両側無線特定情報要求は、車両側無線特定情報に通信に必要な情報を付加された情報である。図９のＳ９１７を参照。
【００５０】
ステップＳ７０３で制御装置４０１は、給電装置７に設けられている無線通信部４０７を特定するための給電側無線特定情報を記憶部６０２から取得し、通信に必要な情報を付加して給電側無線特定情報応答を生成し、コイル間通信部の送信部４０８に出力する。給電側無線特定情報として、例えば、ＭＡＣアドレスなどが考えられる。図１０のＳ９１８を参照。
【００５１】
ステップＳ７０４では、車両５から送信された無線接続要求を無線通信部４０７を介して取得したか否かを制御装置４０１が判断し、取得した場合（Ｙｅｓ）にはステップＳ７０５に移行する。取得していない場合（Ｎｏ）にはステップＳ７０４に移行する。ただし、決められた期間無線接続要求を取得できない場合にはステップＳ７０１に移行する。無線接続要求は、無線通信を開始することを示す情報である。図１０のＳ９３３を参照。
【００５２】
ステップＳ７０５では制御装置４０１が給電側無線制御処理を開始する。すなわち、給電装置７が充電装置６へ給電をする際に必要となる情報の遣り取りを、特定された給電装置７の無線通信部４０７と特定された充電装置６の無線通信部５１０が開始する。
【００５３】
充電装置の動作について説明する。
無線通信部５１０（第３の通信部）と別の給電装置７から非接触で交流電力を受電するコイルを用いて通信をするコイル間通信部（第４の通信部）が、給電装置７が有する無線通信部５１０ごとに割り当てられる無線特定情報（ＭＡＣアドレス）を受信する。続いて、コイル間通信部の受信部５０９から無線特定情報を取得し、取得した無線特定情報を無線通信部５１０に転送する。無線通信部５１０と無線通信部４０７との間で無線通信を開始する。
【００５４】
充電装置の動作について図８を用いて説明する。図８は、給電中の重畳信号の送信の一実施例を示す図である。
図８のステップＳ８０１では、制御装置５０１が駐車エリアに車両５が駐車されたか否かを判定し、検出された場合（Ｙｅｓ）にはステップＳ８０２に移行し、検出されない場合（Ｎｏ）にはステップＳ８０１に移行する。駐車の検出は、車両５が駐車エリア２に駐車されると駐車されたことを制御装置５０１に通知することにより検出する。例えば、ダッシュボードに設けられたスイッチを運転者が押下して制御装置５０１に通知してもよいし、センサなどにより駐車したことを検出して通知してもよい。図９のＳ９０１を参照。
【００５５】
ステップＳ８０２では、制御装置５０１がコイル間通信要求を生成し、コイル間通信部の送信部５０８に出力する。図９のＳ９０２を参照。
ステップＳ８０３では、給電装置７のコイル間通信部で生成されたコイル間通信要求に対応する応答であるコイル間通信応答を、充電装置６の受信部５０９を介して制御装置５０１が取得したか否かを判定する。取得した場合（Ｙｅｓ）にはステップＳ８０４に移行し、取得できない場合（Ｎｏ）には処理を終了する。または決められた期間コイル間通信応答を取得できない場合にはステップＳ８０１に移行してもよい。図９のＳ９１１を参照。
【００５６】
ステップＳ８０４では、制御装置５０１が車両側無線特定情報要求を生成し、コイル間通信部の送信部５０８に出力する。図９のＳ９１２を参照。
ステップＳ８０５では、給電装置７のコイル間通信部で生成された車両側無線特定情報要求に対応する応答である給電側無線特定情報応答を、充電装置６の受信部５０９を介して制御装置５０１が取得したか否かを判定する。取得した場合（Ｙｅｓ）にはステップＳ８０６に移行し、取得できない場合（Ｎｏ）には処理を終了する。または決められた給電側無線特定情報応答を取得できない場合にはステップＳ８０１に移行してもよい。図１０のＳ９２３を参照。
【００５７】
ステップＳ８０６では、制御装置５０１が取得した給電側無線特定情報応答から無線特定情報を抽出して無線接続要求を生成し、無線通信部５１０に出力する。図１０のＳ９２４を参照。
【００５８】
ステップＳ８０７では、給電装置７の無線通信部で生成された無線接続要求に対応する応答である無線接続応答を、充電装置６の受信部５０９を介して制御装置５０１が取得したか否かを判定する。取得した場合（Ｙｅｓ）にはステップＳ８０８に移行し、取得できない場合（Ｎｏ）には処理を終了する。または決められた無線接続応答を取得できない場合にはステップＳ８０１に移行してもよい。図１０のＳ９３１を参照。
【００５９】
ステップＳ８０９では、制御装置５０１が車両側無線制御処理を開始する。すなわち、給電装置７から充電装置６へ給電をする際に必要となる情報の遣り取りを、特定された給電装置７の無線通信部４０７と特定された充電装置６の無線通信部５１０が開始する。
【００６０】
給電装置と充電装置の動作について図９と図１０を用いて説明する。図９と図１０は、給電装置および充電装置の動作の一実施例を示すフロー図である。
図９のステップＳ９０１で充電装置６の制御装置５０１は車両５が駐車されたことを検出し、コイル間通信部を起動させる。
【００６１】
ステップＳ９０２では、充電装置６の制御装置５０１がコイル間通信要求を生成し、コイル間通信部の送信部５０８に出力する。
ステップＳ９０３では充電装置６の送信部５０８がコイル間通信要求を制御装置５０１から取得する。ステップＳ９０４で充電装置６の送信部５０８がコイル間通信要求を給電装置７に送信する。
【００６２】
ステップＳ９０５では給電装置７の受信部４０９がコイル間通信要求を充電装置６から受信する。
ステップＳ９０６で給電装置７の送信部４０８がコイル間通信応答を充電装置６へ送信する。本例では、送信部４０８がコイル間通信応答を生成して充電装置６へ送信しているが、ステップＳ９０５でコイル間通信要求を制御装置４０１に転送したのち、制御装置４０１がコイル間通信応答を生成して送信部４０８に転送してもよい。そして、ステップＳ９０６で送信部４０８が転送されたコイル間通信応答を充電装置６へ送信してもよい。
【００６３】
ステップＳ９０７では充電装置６の受信部５０９がコイル間通信応答を給電装置７から受信する。
ステップＳ９０８では給電装置７の受信部４０９が制御装置４０１へコイル間通信要求を転送する。ステップＳ９０９で給電装置７の制御装置４０１がコイル間通信要求を受信部４０９から取得する。
【００６４】
ステップＳ９１０では充電装置６の受信部５０９が制御装置５０１へコイル間通信応答を転送する。ステップＳ９１１で充電装置６の制御装置５０１がコイル間通信応答を受信部５０９から取得する。
【００６５】
ステップＳ９１２では充電装置６の制御装置５０１が車両側無線特定情報要求の生成し送信部５０８へ出力する。ステップＳ９１３で充電装置６の送信部５０８が車両側無線特定情報要求を制御装置５０１から取得する。ステップＳ９１４で充電装置６の送信部５０８が車両側無線特定情報要求を送信する。
【００６６】
ステップＳ９１５では給電装置７の受信部４０９が車両側無線特定情報要求を充電装置６から受信する。ステップＳ９１６で給電装置７の受信部４０９が制御装置４０１へ車両側無線特定情報要求を転送する。
【００６７】
ステップＳ９１７では給電装置７の制御装置４０１が車両側無線特定情報要求を取得する。ステップＳ９１８で給電装置７の制御装置４０１が給電側無線特定情報応答を生成し、送信部４０８へ出力する。
【００６８】
ステップＳ９１９では給電装置７の送信部４０８が給電側無線特定情報応答を制御装置４０１から取得する。ステップＳ９２０で給電装置７の送信部４０８が給電側無線特定情報応答を充電装置６へ送信する。
【００６９】
ステップＳ９２１では充電装置６の受信部５０９が給電側無線特定情報応答を給電装置７から受信する。
ステップＳ９２２では充電装置６の受信部５０９が制御装置５０１へ給電側無線特定情報応答を転送する。
【００７０】
ステップＳ９２３では充電装置６の制御装置５０１が給電側無線特定情報応答を取得する。
ステップＳ９２４では充電装置６の制御装置５０１が無線接続要求を生成し、送信部５０８に出力する。
【００７１】
ステップＳ９２５では充電装置６の無線通信部５１０が無線接続要求を取得する。ステップＳ９２６で充電装置６の無線通信部５１０が無線接続要求を送信する。
ステップＳ９２７では給電装置７の無線通信部４０７が無線接続要求を受信する。ステップＳ９２８で給電装置７の無線通信部４０７が無線接続応答を充電装置６へ送信する。本例では、無線通信部４０７が無線接続応答を生成して充電装置６へ送信しているが、ステップＳ９２７で無線接続要求を制御装置４０１に転送したのち、制御装置４０１が無線接続応答を生成して無線通信部４０７に転送してもよい。そして、ステップＳ９２８で無線通信部４０７が転送された無線接続応答を充電装置６へ送信してもよい。
【００７２】
ステップＳ９２９では充電装置６の無線通信部５１０が無線接続応答を受信する。ステップＳ９３０で充電装置６の無線通信部５１０が制御装置５０１へ無線接続応答を転送する。
【００７３】
ステップＳ９３１では充電装置６の無線通信部５１０が無線接続応答を取得する。ステップＳ９３２で給電装置７の無線通信部４０７が制御装置４０１へ無線接続要求を転送する。
【００７４】
ステップＳ９３３では給電装置７の制御装置４０１が無線接続要求を取得する。
実施の形態によれば、給電装置と充電装置が無線通信で用いる各々を特定する情報を、予め該無線通信と別の通信により給電装置と充電装置それぞれに通知することにより、車両が利用する給電装置の特定ができるという効果を奏する。
【００７５】
また、本発明は、上記実施の形態に限定されるものでなく、本発明の要旨を逸脱しない範囲内で種々の改良、変更が可能である。
【符号の説明】
【００７６】
１  チャージステーション、
２、２ａ、２ｂ、２ｃ、２ｄ  駐車エリア、
３、３ａ、３ｂ、３ｃ、３ｄ  給電制御部、
４、４ａ、４ｂ、４ｃ、４ｄ  給電部、
５  車両、
６  充電装置、
７、７ａ、７ｂ、７ｃ、７ｄ  給電装置、
８  サーバ、
９  ネットワーク、
４０１  制御装置、
４０２  商用電源、
４０３  電源変換部、
４０４  整合部、
４０５  第１のコイル、
４０６  結合部、
４０７  無線通信部、
４０８  送信部、
４０９  受信部、
５０１  制御装置、
５０２  第２のコイル、
５０３  整合部、
５０４  整流部、
５０５  検出部、
５０６  バッテリ部、
５０７  結合部、
５０８  送信部、
５０９  受信部、
５１０  無線通信部、
６０１  制御部、
６０２  記憶部、
６０３  記録媒体読取装置、
６０４  入出力インタフェース、
６０５  通信インタフェース、
６０６  バス、
６０７  記録媒体、
６０８  入出力部、
【図１】
2013247811.tif 000003
【図２】
2013247811.tif 000004
【図３】
2013247811.tif 000005
【図４】
2013247811.tif 000006
【図５】
2013247811.tif 000007
【図６】
2013247811.tif 000008
【図７】
2013247811.tif 000009
【図８】
2013247811.tif 000010
【図９】
2013247811.tif 000011
【図１０】
2013247811.tif 000012